(57)【要約】【課題】圧縮機の耐久性を確保できるヒートポンプ給湯装置を提供する。【解決手段】圧縮機２１、給湯用熱交換器２２、第１の開閉弁２３、蓄熱器２４、膨張弁２５、蒸発器２６からなるヒートポンプサイクル２０と、給湯用熱交換器２２と第１の開閉弁２３の間と蓄熱器２４と膨張弁２５の間とを接続する第１のバイパス回路２８と、蓄熱器２４と膨張弁２５の間と蒸発器２６と圧縮機２１の間とを接続し第３の開閉弁３１を有する第２のバイパス回路３０と、ヒートポンプサイクル２０で加熱された液体を蓄える貯湯タンク４１内の液体を給湯用熱交換器２２に送る循環ポンプ４６を備え、第３の開閉弁３１の開成時に第２のバイパス回路３０の第３の開閉弁３１の下流側と蓄熱器２４で熱交換を行う。【選択図】図１
2008261559.tif 000002
【特許請求の範囲】
【請求項１】
圧縮機、給湯用熱交換器、第１の開閉弁、蓄熱器、第１の絞り装置、及び蒸発器を配管で順に接続して構成されたヒートポンプサイクルと、前記給湯用熱交換器と前記第１の開閉弁の間と前記蓄熱器と前記第１の絞り装置の間とを接続すると共に第２の開閉弁を有する第１のバイパス回路と、前記蓄熱器と前記第１の絞り装置の間と前記蒸発器と前記圧縮機の間とを接続すると共に第２の絞り装置を有する第２のバイパス回路と、前記ヒートポンプサイクルを用いて加熱された液体を蓄える貯湯タンクと、前記貯湯タンク内の液体を前記給湯用熱交換器に送る循環ポンプとを備え、前記第２の絞り装置の開成時に前記第２のバイパス回路の前記第２の絞り装置の下流側と前記蓄熱器とで熱交換を行うことを特徴とするヒートポンプ給湯装置。
【請求項２】
給湯用熱交換器の水側の入口温度を検出する入水温度検出手段と、蓄熱器と第１の絞り装置の間の配管の温度を検出する蓄熱器出口温度検出手段と、第２のバイパス回路で前記蓄熱器出口の配管温度を検出するバイパス配管温度検出手段を設け、前記入水温度検出手段、前記蓄熱器出口温度検出手段及び前記バイパス配管温度検出手段のそれぞれで検出された温度に応じて、第１の開閉弁と、第２の開閉弁と、第２の絞り装置を制御することを特徴とする請求項１に記載のヒートポンプ給湯装置。
【請求項３】
蓄熱器に潜熱蓄熱剤を充填したことを特徴とする請求項１又は２に記載のヒートポンプ給湯装置。
【請求項４】
蓄熱器に、融点の異なる複数の潜熱蓄熱剤を充填したことを特徴とする請求項３に記載のヒートポンプ給湯装置。
【請求項５】
蓄熱器は、蓄熱運転時、融点の高い潜熱蓄熱剤から融点の低い潜熱蓄熱剤へ冷媒が流れるようにしたことを特徴とする請求項４に記載のヒートポンプ給湯装置。
【請求項６】
第２のバイパス回路内は、融点の低い潜熱蓄熱剤から融点の高い潜熱蓄熱剤へ冷媒が流れることを特徴とする請求項４又は５に記載のヒートポンプ給湯装置。
【請求項７】
ヒートポンプサイクルに用いる冷媒を二酸化炭素とし、高圧側で臨界圧を越える状態で運転するようにした請求項１〜６のいずれか１項に記載のヒートポンプ給湯装置。
【発明の詳細な説明】
【技術分野】
【０００１】
本発明は、ヒートポンプ給湯装置に関するものである。
【背景技術】
【０００２】
従来から、種々のヒートポンプサイクルを利用したヒートポンプ給湯装置が提案されおり、図３に示すものがある（例えば、特許文献１参照）。
【０００３】
図３は、前記特許文献１に記載された従来のヒートポンプ給湯装置の構成図である。
【０００４】
図３において、従来のヒートポンプ給湯装置は、圧縮機１、給湯用熱交換器２、絞り装置３、蒸発器４からなる冷媒循環回路１０と、貯湯槽５、循環ポンプ６、給湯用熱交換器２、補助加熱器７を接続した給湯回路１１からなり、圧縮機１より吐出された高温高圧の過熱ガスは、給湯用熱交換器２に流入し、ここで循環ポンプ６から送られてきた給湯水を加熱する。そして、凝縮液化した冷媒は、絞り装置３で減圧され、蒸発器４に流入し、ここで大気熱を吸熱して蒸発ガス化し、圧縮機１に戻る。
【０００５】
一方、給湯用熱交換器２で、加熱された湯は貯湯槽５の上部に流入し、上から次第に貯湯されていく。そして、給湯用熱交換器２の入口水温が設定値に達すると水温検知器８が検知し、圧縮機１によるヒートポンプ運転を停止して、補助加熱器７の単独運転に切り換えるものである。
【特許文献１】特開昭６０−１６４１５７号公報
【発明の開示】
【発明が解決しようとする課題】
【０００６】
しかしながら、前記従来のヒートポンプ給湯装置の構成では、沸き上げ運転時間の経過とともに貯湯槽５内の湯と水の接する部分で湯水混合層が生じ、その層は次第に拡大していく。これは、高温湯と低温水の熱伝導および対流により発生するものであり、高温湯から低温水へ伝熱されその境界部分で高温湯は温度低下し、逆に低温水は温度上昇する。従って、沸き上げ運転完了近くになると、給湯用熱交換器２に流入する水温は高くなるため、圧縮機１の吐出圧力が上昇して、圧縮機１の耐久性が悪くなるという課題を有していた。
【０００７】
本発明は、上記従来の課題を解決するもので、給湯用熱交換器に流入する水温が高い時でも、圧縮機の耐久性を確保することが出来るヒートポンプ給湯装置を提供することを目的とする。
【課題を解決するための手段】
【０００８】
前記従来の課題を解決するために、本発明のヒートポンプ給湯装置は、圧縮機、給湯用熱交換器、第１の開閉弁、蓄熱器、第１の絞り装置、及び蒸発器を配管で順に接続して構成されたヒートポンプサイクルと、前記給湯用熱交換器と前記第１の開閉弁の間と前記蓄熱器と前記第１の絞り装置の間とを接続すると共に第２の開閉弁を有する第１のバイパス回路と、前記蓄熱器と前記第１の絞り装置の間と前記蒸発器と前記圧縮機の間とを接続すると共に第２の絞り装置を有する第２のバイパス回路と、前記ヒートポンプサイクルを用いて加熱された液体を蓄える貯湯タンクと、前記貯湯タンク内の液体を前記給湯用熱交換器に送る循環ポンプとを備え、前記第２の絞り装置の開成時に前記第２のバイパス回路の前記第２の絞り装置の下流側と前記蓄熱器とで熱交換を行うもので、入水温度が高い場合、通常のヒートポンプサイクルでは、給湯用熱交換器の出口の冷媒温度も上昇し、給湯用
熱交換器および蒸発器の冷媒ホールド量が減少するため高圧が上昇する傾向にあるが、本発明のように蓄熱器で給湯用熱交換器を出た冷媒の熱を蓄熱して、蓄熱器を出た冷媒の温度を給湯用熱交換器を出た冷媒の温度より下げることにより、冷媒エンタルピーが減少してその密度が増加し、また、蒸発器入口の乾き度も減少して蒸発器の冷媒ホールド量が増加するため、入水温度が高い場合でも、高圧は上昇することなくヒートポンプサイクルを安全に運転できる。
【発明の効果】
【０００９】
本発明のヒートポンプ給湯装置は、給湯用熱交換器に流入する水温が高い時でも圧縮機の耐久性を確保できる。
【発明を実施するための最良の形態】
【００１０】
第１の発明は、圧縮機、給湯用熱交換器、第１の開閉弁、蓄熱器、第１の絞り装置、及び蒸発器を配管で順に接続して構成されたヒートポンプサイクルと、前記給湯用熱交換器と前記第１の開閉弁の間と前記蓄熱器と前記第１の絞り装置の間とを接続すると共に第２の開閉弁を有する第１のバイパス回路と、前記蓄熱器と前記第１の絞り装置の間と前記蒸発器と前記圧縮機の間とを接続すると共に第２の絞り装置を有する第２のバイパス回路と、前記ヒートポンプサイクルを用いて加熱された液体を蓄える貯湯タンクと、前記貯湯タンク内の液体を前記給湯用熱交換器に送る循環ポンプとを備え、前記第２の絞り装置の開成時に前記第２のバイパス回路の前記第２の絞り装置の下流側と前記蓄熱器とで熱交換を行うもので、入水温度が高い場合、通常のヒートポンプサイクルでは、給湯用熱交換器の出口の冷媒温度も上昇し、給湯用熱交換器および蒸発器の冷媒ホールド量が減少するため高圧が上昇する傾向にあるが、本発明のように蓄熱器で給湯用熱交換器を出た冷媒の熱を蓄熱して、蓄熱器を出た冷媒の温度を給湯用熱交換器を出た冷媒の温度より下げることにより、冷媒エンタルピーが減少してその密度が増加し、また、蒸発器入口の乾き度も減少して蒸発器の冷媒ホールド量が増加するため、入水温度が高い場合でも、高圧は上昇することなくヒートポンプサイクルを安全に運転できる。
【００１１】
第２の発明は、特に、第１の発明の給湯用熱交換器の水側の入口温度を検出する入水温度検出手段と、蓄熱器と第１の絞り装置の間の配管の温度を検出する蓄熱器出口温度検出手段と、第２のバイパス回路で前記蓄熱器出口の配管温度を検出するバイパス配管温度検出手段を設け、前記入水温度検出手段、前記蓄熱器出口温度検出手段及び前記バイパス配管温度検出手段のそれぞれで検出された温度に応じて、第１の開閉弁と、第２の開閉弁と、第２の絞り装置を制御するもので、蓄熱器に蓄熱された熱量の熱回収運転を行うので、より効率の高いヒートポンプ給湯機を実現できる。
【００１２】
第３の発明は、特に、第１又は第２の発明の蓄熱器に潜熱蓄熱剤を充填したもので、入水温度が高い場合、通常のヒートポンプサイクルでは、給湯用熱交換器の出口の冷媒温度も上昇するが、この高温の冷媒が、潜熱蓄熱剤からなる蓄熱器に放熱するため、蓄熱器出口の冷媒の温度上昇を抑制でき、より効率の高いヒートポンプ給湯機を実現できる。
【００１３】
第４の発明は、特に、第３の発明の蓄熱器に、融点の異なる複数の潜熱蓄熱剤を充填したもので、蓄熱量を増加させることができ、潜熱蓄熱剤からなる蓄熱器を小型化したヒートポンプ給湯機を実現できる。
【００１４】
第５の発明は、特に、第４の発明の蓄熱器は、蓄熱運転時、融点の高い潜熱蓄熱剤から融点の低い潜熱蓄熱剤へ冷媒が流れるようにしたもので、入水温度が高い場合に、給湯用熱交換器を出た高温の冷媒は、融点の高い潜熱蓄熱剤から融点の低い潜熱蓄熱剤を通り、蓄熱器に放熱するため、蓄熱器出口温度は融点の低い潜熱蓄熱剤の融点とほぼ同じ温度を維持できるので、より効率の高いヒートポンプ給湯機を実現できる。
【００１５】
第６の発明は、特に、第４又は第５の発明の第２のバイパス回路内は、融点の低い潜熱蓄熱剤から融点の高い潜熱蓄熱剤へ冷媒が流れるもので、熱回収運転時、融点の低い潜熱蓄熱剤の方から熱を回収するので、顕熱域の熱を回収し、常に潜熱域を維持できるので、蓄熱器出口温度が上昇することなく、効率の高いヒートポンプ給湯機を実現できる。また、熱回収運転を並行して行っているので、蓄熱器をさらに小型化できる。
【００１６】
第７の発明は、特に、第１〜６のいずれか一つの発明のヒートポンプサイクルに用いる冷媒を二酸化炭素とし、高圧側で臨界圧を越える状態で運転するようにしたもので、給湯水の高温化を高効率で実現すると共に、冷媒が外部に漏れた場合にも、地球温暖化への影響は非常に少なくなる。
【００１７】
以下、本発明の実施の形態について、図面を参照しながら説明する。なお、本実施の形態によって本発明が限定されるものではない。
【００１８】
（実施の形態１）
図１は、本発明の第１の実施の形態におけるヒートポンプ給湯装置の回路構成図、図２は、同ヒートポンプ給湯装置の開閉弁制御のフローチャートである。
【００１９】
図１において、本実施の形態におけるヒートポンプ給湯装置の冷凍回路について説明する。
【００２０】
ヒートポンプサイクル２０は、圧縮機２１、給湯用熱交換器２２、第１の開閉弁２３、蓄熱器２４、第１の絞り装置である膨張弁２５、及び蒸発器２６を配管１２で順に接続して構成されている。また、蒸発器２６に送風するためのファン２７を設けている。さらに、給湯用熱交換器２２と第１の開閉弁２３の間の配管１２から分岐して、蓄熱器２４と膨張弁２５との間の配管１２に接続する第１のバイパス回路２８が設けられている。
【００２１】
そして、第１のバイパス回路２８の途中には、第２の開閉弁２９が直列に設けられている。さらに、蓄熱器２４と膨張弁２５の間の配管１２から分岐して、蒸発器２６と圧縮機２１との間の配管１２に接続する第２のバイパス回路３０が設けられている。そして、第２のバイパス回路３０の途中には、第２の絞り装置である第３の開閉弁３１と、キャピラリー３２が直列に設けられ、キャピラリー３２の下流側の配管１２と蓄熱器２４とで熱交換するようにしている。また、第２のバイパス回路３０において、蓄熱器２４と熱交換した後の配管温度を検出するバイパス配管温度検出手段３０Ａを設置している。
【００２２】
蓄熱器２４は、高融点潜熱蓄熱剤２４Ａと低融点潜熱蓄熱剤２４Ｂが充填されており、例えば、高融点潜熱蓄熱剤２４Ａの融点が４０℃、低融点潜熱蓄熱剤２４Ｂの融点が３０℃である。また、蓄熱器２４と膨張弁２５の間の配管には、蓄熱器出口温度検出手段２４Ｃを設置している。
【００２３】
本実施の形態におけるヒートポンプ給湯装置は、二酸化炭素を冷媒として用い、高圧側では臨界圧を越える状態で運転するようにしている。
【００２４】
次に、本実施の形態におけるヒートポンプ給湯装置の給湯回路１５について説明する。
【００２５】
貯湯タンク４１の第一底部配管４２は、減圧弁４３を介して水道管等の水供給配管４４に接続されている。また、貯湯タンク４１の第二底部配管４５は、循環ポンプ４６を介して給湯用熱交換器２２の水用配管２２Ａの流入側と接続されている。また、給湯用熱交換器２２の水用配管２２Ａの入口側には入水温度検出手段２２Ｂを、出口側には出湯温度検
出手段２２Ｃを設置している。また、貯湯タンク４１の第一上部配管４７は、三方弁４８を介して給湯用熱交換器２２の水用配管２２Ａの流出側と接続されている。また、貯湯タンク４１の第三底部配管４９は、三方弁４８に接続されている。また、貯湯タンク４１の第二上部配管５０は、キッチン、又は洗面所等の蛇口や風呂端末（図示せず）に接続されている。
【００２６】
コントローラ６０には、入水温度検出手段２２Ｂで検出した入水温度と、蓄熱器出口温度検出手段２４Ｃで検出した蓄熱器出口温度と、バイパス配管温度検出手段３０Ａで検出したバイパス配管温度とが入力とされ、開閉弁制御手段６１により、第１の開閉弁２３、第２の開閉弁２９、第３の開閉弁３１が開閉動作される。
【００２７】
次に、本実施の形態におけるヒートポンプ給湯装置の貯湯運転動作について説明する。
【００２８】
まず、使用者が蛇口を開くと第二上部配管５０から出湯される。貯湯タンク４１の残湯量が少なくなると、圧縮機２１が起動し、ヒートポンプサイクル２０が運転を開始する。
【００２９】
ヒートポンプサイクル２０の運転モードとして、４つのモードがあり、まず、起動運転モードとして、蓄熱器２４の熱回収を行う場合について説明する。この時、第１の開閉弁２３を閉動作、第２の開閉弁２９を開動作、第３の開閉弁３１を開動作している。圧縮機２１で圧縮された冷媒は、給湯用熱交換器２２で放熱し、第２の開閉弁２９を通る。そこで、一部の冷媒は、膨張弁２５で減圧された後、蒸発器２６にて吸熱し、ガス状態で圧縮機２１に吸入される。残りの冷媒は、第３の開閉弁３１、キャピラリー３２を通り、蓄熱器２４の熱で蒸発され、蒸発器２６を通った冷媒と合流し、圧縮機２１に吸入される。ファン２７は、圧縮機２１の運転状態に応じた回転数に設定される。
【００３０】
循環ポンプ４６により、貯湯タンク４１からの水は、貯湯タンク４１の第二底部配管４５を通り、給湯用熱交換器２２の水用配管２２Ａに導かれ、高温の湯に加熱され、三方弁４８を介し、貯湯タンク４１に流入する。三方弁４８において、貯湯タンク４１の第一上部配管４７に接続するか、貯湯タンク４１の第三底部配管４９に接続するかの判断は、給湯用熱交換器２２の水用配管２２Ａの出口側に設置している出湯温度検出手段２２Ｃの温度によって行う。
【００３１】
次に、ヒートポンプサイクル２０の運転モードとして、蓄熱／熱回収をともなわない通常運転モードについて説明する。この時、第１の開閉弁２３を閉動作、第２の開閉弁２９を開動作、第３の開閉弁３１を閉動作している。圧縮機２１で圧縮された冷媒は、給湯用熱交換器２２で放熱し、第２の開閉弁２９を通り膨張弁２５で減圧された後、蒸発器２６にて吸熱し、ガス状態で圧縮機２１に吸入される。ファン２７は、圧縮機２１の運転状態に応じた回転数に設定される。
【００３２】
次に、ヒートポンプサイクル２０の運転モードとして、蓄熱器２４に蓄熱する蓄熱運転モードについて説明する。この時、第１の開閉弁２３を開動作、第２の開閉弁２９を閉動作、第３の開閉弁３１を閉動作している。圧縮機２１で圧縮された冷媒は、給湯用熱交換器２２で放熱し、蓄熱器２４を通り膨張弁２５で減圧された後、蒸発器２６にて吸熱し、ガス状態で圧縮機２１に吸入される。ファン２７は、圧縮機２１の運転状態に応じた回転数に設定される。
【００３３】
次に、ヒートポンプサイクル２０の運転モードとして、蓄熱器２４に蓄熱しながら、同時に熱回収する同時運転モードについて説明する。この時、第１の開閉弁２３を開動作、第２の開閉弁２９を閉動作、第３の開閉弁３１を開動作している。圧縮機２１で圧縮された冷媒は、給湯用熱交換器２２で放熱し、蓄熱器２４を通る。そこで、一部の冷媒は、膨
張弁２５で減圧された後、蒸発器２６にて吸熱し、ガス状態で圧縮機２１に吸入される。残りの冷媒は、第３の開閉弁３１、キャピラリー３２を通り、蓄熱器２４の熱で蒸発され、蒸発器２６を通った冷媒と合流し、圧縮機２１に吸入される。ファン２７は、圧縮機２１の運転状態に応じた回転数に設定される。
【００３４】
次に、本実施の形態におけるヒートポンプ給湯装置の開閉弁の動作について図２のフローチャートを用いて説明する。
【００３５】
まず、使用者が、蛇口を開くと第二上部配管５０から出湯され、貯湯タンク４１の残湯量が少なくなると、第１の開閉弁２３を閉動作、第２の開閉弁２９を開動作、第３の開閉弁３１を開動作するとともに、圧縮機２１が起動し、ヒートポンプサイクル２０が運転を開始する（ステップ１）。
【００３６】
次に、入水温度検出手段２２Ｂで入水温度を、蓄熱器出口温度検出手段２４Ｃで蓄熱器出口温度を、バイパス配管温度検出手段３０Ａでバイパス配管温度を検出する（ステップ２）。次に、入水温度が所定温度（例えば、３５℃）以下か判断される（ステップ３）。入水温度が３５℃以下の場合、バイパス配管温度が所定温度（例えば、２０℃）以下か判断され（ステップ４）、バイパス配管温度が２０℃以上の場合、蓄熱器２４にまだ蓄熱されていると判断し、起動運転モードとして、第１の開閉弁２３を閉動作、第２の開閉弁２９を開動作、第３の開閉弁３１を開動作を継続する（ステップ５）。
【００３７】
ステップ４でバイパス配管温度が２０℃より低い場合、蓄熱器２４の熱が回収されたと判断し、通常運転モードに移行し、第１の開閉弁２３を閉動作、第２の開閉弁２９を開動作、第３の開閉弁３１を閉動作させる（ステップ６）。
【００３８】
次に、ステップ３で、入水温度が３５℃より高い場合、蓄熱器出口温度が所定温度（例えば、３０℃）以下か判断され（ステップ７）、蓄熱器出口温度が３０℃以下の場合、蓄熱運転モードに移行し、第１の開閉弁２３を開動作、第２の開閉弁２９を閉動作、第３の開閉弁３１を閉動作させる（ステップ８）。ステップ７で、蓄熱器出口温度が３０℃より高い場合、同時運転モードに移行し、第１の開閉弁２３を開動作、第２の開閉弁２９を閉動作、第３の開閉弁３１を開動作させる（ステップ７）。
【００３９】
従って、入水温度が高くなると、蓄熱運転モードとして、蓄熱器２４に蓄熱することにより、蓄熱器２４を出た冷媒の温度を給湯用熱交換器２２を出た冷媒の温度より下げることにより、冷媒エンタルピーが減少してその密度が増加し、また、蒸発器２６の入口の乾き度も減少して蒸発器２６の冷媒ホールド量が増加するため、入水温度が高い場合でも、高圧は上昇することなくヒートポンプサイクルを安全に運転できる。また、蓄熱器２４の出口温度も監視しており、所定温度より高い場合は、同時運転モードとして、熱回収運転も同時に行っており、蓄熱器２４の出口温度は所定温度より高くならないので、高圧は上昇することなくヒートポンプサイクルを安全に運転できる。
【００４０】
さらに、蒸発器２６に流入する一部の冷媒を蓄熱器２４で蒸発させるため、蒸発能力が上昇し、効率の良い運転が実現できる。さらに、熱回収運転を同時に行なうため、蓄熱器２４に貯める熱量を制限できるので、蓄熱器２４の小型化ができる。また、圧縮機２１の起動時には、起動運転モードとして、蓄熱器２４の熱量を回収する運転を行うため、さらに効率の良い運転が実現できる。
【００４１】
以上のように本実施の形態におけるヒートポンプ給湯装置は、入水温度が高い場合、従来のヒートポンプサイクルでは、給湯用熱交換器２２の出口の冷媒温度も上昇し、給湯用熱交換器２２および蒸発器２６の冷媒ホールド量が減少するため、高圧が上昇する傾向に
あるが、本実施の形態のように蓄熱器２４で給湯用熱交換器２２を出た冷媒の熱を蓄熱して、蓄熱器２４を出た冷媒の温度を給湯用熱交換器２２を出た冷媒の温度より下げることにより、冷媒エンタルピーが減少してその密度が増加し、また、蒸発器２６の入口の乾き度も減少して蒸発器２６の冷媒ホールド量が増加するため、入水温度が高い場合でも、高圧は上昇することなくヒートポンプサイクルを安全に運転できる。
【００４２】
また、蓄熱器２４の出口温度も監視しており、所定温度より高い場合は、同時運転モードとして、熱回収運転も同時に行っており、蓄熱器２４の出口温度は所定温度より高くならないので、高圧は上昇することなくヒートポンプサイクルを安全に運転できる。さらに、蒸発器２６に流入する一部の冷媒を蓄熱器２４で蒸発させるため、蒸発能力が上昇し、効率の良い運転が実現できる。さらに、熱回収運転を同時に行なうため、蓄熱器２４に貯める熱量を制限できるので、蓄熱器２４の小型化ができる。また、圧縮機２１の起動時には、起動運転モードとして、蓄熱器２４の熱量を回収する運転を行うため、さらに効率の良い運転が実現できる。
【００４３】
また、本実施の形態では、冷媒として二酸化炭素を用いた場合で説明したが、冷媒としてＲ４１０Ａ冷媒やＨＣ冷媒などのその他の冷媒を用いてもよい。
【００４４】
また、本実施の形態では、蓄熱器２４に、融点の異なる２種類の潜熱蓄熱剤を充填した場合で説明したが、融点の異なる３種類以上の潜熱蓄熱剤を充填してもよい。
【００４５】
また、本実施の形態では、一つのヒートポンプサイクル２０を備えたヒートポンプ給湯装置を例に説明したが、２つ以上のヒートポンプサイクルを用いたヒートポンプ給湯装置でもよい。
【産業上の利用可能性】
【００４６】
以上のように、本発明にかかるヒートポンプ給湯装置は、冷媒回路の圧縮機の吐出圧力を低減しながら、給湯水を容易に高温に加熱することが可能となるので、温水を貯湯し、その温水を利用した暖房等の用途にも適用できる。
【図面の簡単な説明】
【００４７】
【図１】本発明の第１の形態におけるヒートポンプ給湯装置の回路構成図
【図２】同ヒートポンプ給湯装置の開閉弁制御のフローチャート
【図３】従来のヒートポンプ給湯機の構成図
【符号の説明】
【００４８】
２０    ヒートポンプサイクル
２１    圧縮機
２２    給湯用熱交換器
２３    第１の開閉弁
２４    蓄熱器
２４Ａ  高融点潜熱蓄熱剤（潜熱蓄熱剤）
２４Ｂ  底融点潜熱蓄熱剤（潜熱蓄熱剤）
２５    膨張弁（第１の絞り装置）
２６    蒸発器
２８    第１のバイパス回路
３０    第２のバイパス回路
３１    第３の開閉弁（第２の絞り装置）
４１    貯湯タンク
４６    循環ポンプ
【図１】
2008261559.tif 000003
【図２】
2008261559.tif 000004
【図３】
2008261559.tif 000005